(57)【要約】【課題】  本考案は、金型や製造ラインなどを一本化することができ、大幅な製造コストのダウンを実現した新規な昇降収納装置用基台を提供することを目的とする。【解決手段】  アームの一端に取り付けられた収納ケースが一定の範囲で昇降可能になるように構成された昇降収納装置における回動機構を取り付けるための基台であって、該基台には、該基台における略中心線上に一のアームを取り付けるための第一枢着部が設けられると共に、前記中心線を挟む略対称の両位置に他のアームを取り付けるための第二枢着部が設けられていることを特徴とする昇降収納装置用基台。【選択図】  図１１
0003118027.tif 000002
【実用新案登録請求の範囲】
【請求項１】
アームの一端に取り付けられた収納ケースが一定の範囲で昇降可能になるように構成された昇降収納装置において用いられる、アームを取り付けるための基台であって、該基台には、該基台における略中心線上に一のアームを枢着するための第一枢着部が設けられると共に、前記中心線を挟む略対称の両位置に他のアームを枢着するための第二枢着部が設けられていることを特徴とする昇降収納装置用基台。
【請求項２】
プレス成型により、一体的に成型されてなる請求項１に記載の昇降収納装置用基台。
【請求項３】
更に、バネ機構などのその他部品を取り付けるための取付部が、昇降収納装置用基台における略中心線を挟む略対称の両位置に設けられてなる請求項１又は２に記載の昇降収納装置用基台。
【請求項４】
昇降収納装置用基台の側面に、補強板を取り付けることにより補強してなる請求項１ないし３のいずれか１項に記載の昇降収納装置用基台。
【考案の詳細な説明】
【技術分野】
【０００１】
本考案は、例えば、キッチン高所に備えられて、アームの一端に取付けられた収納ケースが一定の範囲で昇降可能になるように構成された昇降収納装置おいて用いられる、アームを取り付けるための昇降収納装置用基台に関する。
【背景技術】
【０００２】
最近市販のシステムキッチンなどにおいては、当該キッチンの高所に、アームの一端に取付けられた収納ケースが一定の範囲で昇降可能になるように構成された昇降収納装置が装備されているものが一般的となっており、各種メーカーが様々なタイプの昇降収納装置を研究・開発している（例えば、特許文献１及び２。）。
【０００３】
【特許文献１】特開２００４−２４９１２８号公報
【特許文献２】特開２００４−２１６１９８号公報
【０００４】
このような昇降収納装置の簡単な例としては、図１の斜視図（一部透過状態）に示すような構造のものを挙げることができ、この図に示す昇降収納装置８は、外側ケーシング８１内に収納ケース８２が収まり込む構造になっており、使用者が、収納ケース８２の前方下部に設けられた取手８２１を前方に引き出すことにより、当該収納ケース８２が外側ケーシング８１から前方に飛び出しつつ、使用者の作業位置まで降下してくるように構成されている。
【０００５】
即ち、この昇降収納装置８には、２本のアーム４（４ａ、４ｂ）が、それぞれの枢着点を中心に回動することにより、各アーム４（４ａ、４ｂ）が一定の範囲で移動ないし作動する回動機構が採用されており、一般に、前記回動機構は、外側ケーシング８１内の左右に備えられる。
【０００６】
そして、このような昇降収納装置８においては、通常、前記アームを取り付けるための昇降収納装置用基台１´が備えられる。
【０００７】
又、図１に示すように、この種昇降収納装置８においては、更に、アーム４の回動動作に制動力や付勢力を与えるバネ７１やダンパ５その他の所望の部品が備え付けられることが多いが、これらの部品を取り付ける場合にあっては、安全性や動作安定性に鑑みて、前記昇降収納装置用基台１をケース状に加工して、該ケース内に前記部品等を備え付けると共に蓋材などで覆ったり、或いは蓋材をケース状に加工したりして、前記部品等を隠蔽、保護することが普通である。
【０００８】
従って、前記回動機構を外側ケーシング８１の左右に備える場合、アーム４（４ａ、４ｂ）その他の部品を取り付けるための昇降収納装置用基台１´が左右それぞれ必要となる。
【考案の開示】
【考案が解決しようとする課題】
【０００９】
しかしながら、アームを取り付けるための左右の昇降収納装置用基台は、互いに鏡像の関係にある異なった形状であることから、このような形状の異なる昇降収納装置用基台を２種類用意するためには、金型や製造ラインなどが２種類必要になり、その分コスト高になるといった問題がある。
【００１０】
そこで、本考案者は、このような問題を解決すべく鋭意検討を重ねた結果、アームの一端に取り付けられた収納ケースが一定の範囲で昇降可能になるように構成された昇降収納装置において用いられる、アームを取り付けるための基台であって、該基台には、該基台における略中心線上に一のアームを枢着するための第一枢着部が設けられると共に、前記中心線を挟む略対称の両位置に他のアームを枢着するための第二枢着部が設けられていることを特徴とする本考案の昇降収納装置用基台を完成するに至ったのである。
【００１１】
即ち、本考案者は、アームを取り付けるための昇降収納装置用基台につき、該基台における略中心線上に一のアームを枢着するための第一枢着部を設けると共に、前記中心線を挟む略対称の両位置に他のアームを枢着するための第二枢着部を設ければ、１種・１形状の昇降収納装置用基台で、昇降収納装置の左右いずれにも取り付けることが可能になり、その結果、金型や製造ラインなどを一本化することができ、大幅な製造コストのダウンを実現することが可能になるとの知見を得たのである。
【００１２】
本考案は、上記知見に基づき完成されたものであり、金型や製造ラインなどを一本化することができ、大幅な製造コストのダウンを実現した新規な昇降収納装置用基台を提供することを目的とする。
【課題を解決するための手段】
【００１３】
以上の課題を解決する手段である本考案の昇降収納装置用基台は、アームの一端に取り付けられた収納ケースが一定の範囲で昇降可能になるように構成された昇降収納装置において用いられる、アームを取り付けるための基台であって、該基台には、該基台における略中心線上に一のアームを枢着するための第一枢着部が設けられると共に、前記中心線を挟む略対称の両位置に他のアームを枢着するための第二枢着部が設けられていることを特徴とする。
以下、本考案の昇降収納装置用基台について詳細に説明する。
【００１４】
本考案の昇降収納装置用基台は、アームの一端に取り付けられた収納ケースが一定の範囲で昇降可能になるように構成された昇降収納装置において用いられる、アームを取り付けるための基台である。
【００１５】
この本考案の昇降収納装置用基台を形成する素材については、昇降収納装置の使用に耐え得る程度の物理的強度を有するものであれば、特に限定されるものではなく、木製、金属製、或いは合成樹脂製等の任意の素材を適宜選択して用いれば良いのであるが、中でも、その加工が容易で、しかも安価に入手できるところから、合成樹脂製の素材を用いることが好ましい。
【００１６】
又、本考案の昇降収納装置用基台の全体形状としては、特に限定されるものではなく、板状或いはケース状のいずれの形状であっても良いが、バネ機構やダンパその他の部品も取り付ける場合にあっては、該基台をケース状に加工したり、後述する蓋材をケース状に加工したりして、前記部品などをケース内に保護・隠蔽することが好ましい。
【００１７】
更に、本考案の昇降収納装置用基台の成型については、特に限定されるものではなく、各種部品を予め形成した後に、各部品を接着や融着その他の手段により接合して全体形状を形成しても良いのであるが、製造工手を簡略化するために、金型成型などのプレス成型により一体的に形成することが好ましい。
【００１８】
そして、本考案の昇降収納装置用基台においては、該基台における略中心線上にアームを取り付けるための第一枢着部を設けると共に、前記中心線を挟む略対称の両位置に他のアームを取り付けるための第二枢着部を設けた点に最も大きな特徴を有する
【００１９】
即ち、本考案の昇降収納装置用基台においては、該基台における略中心線上にアームを取り付けるための第一枢着部を設けると共に、前記中心線を挟む略対称の両位置に他のアームを取り付けるための第二枢着部を設けているから、１種・１形状の基台で、昇降収納装置における左右いずれの位置にも取り付けることができるのであり、これより、金型や製造ラインなどを一本化することができ、大幅な製造コストのダウンを実現することが可能になるのである。
【００２０】
又、この種昇降収納装置における回動機構においては、その回動動作に制動力を与えるためにダンパを備えることがあるが、本考案の昇降収納装置用基台においては、２本のアームを取り付けた残りの第二枢着部に前記ダンパを枢着することも可能になるのである。
【００２１】
その他、この種昇降収納装置における回動機構においては、回動動作に付勢力を与えるためにバネ機構等を備えたり、その他の部品を備えたりすることもあるが、本考案の昇降収納装置用基台においてこのバネ機構等を備える場合にあっては、１種・１形状の基台で、昇降収納装置における左右いずれにも取り付けることができるように、当該バネ機構やその他の部品を取り付けるための取付部を、昇降収納装置用基台における略中心線を挟む略対称の両位置に設けることが好ましい。
【００２２】
ここで、前記「略中心線上」とは、必ずしも完全な中心線上に第一枢着部を設けることに限られないことを意味するのであり、即ち、昇降収納装置の奥行きの余裕などに応じて多少中心線上から左右にずれている場合にあっても、１種・１形状の基台で、昇降収納装置における左右いずれにも取り付けることができるのであれば「略中心線上」の範疇に入るのである。
【００２３】
又、前記「略対称」とは、必ずしも厳密な両対称な位置に第二枢着部や取り付け部を設けることに限られないことを意味するのであり、即ち、昇降収納装置の奥行きの余裕などに応じて多少対称な位置から左右にずれている場合にあっても、１種類の基台で、昇降収納装置における左右いずれにも取り付けることができるのであれば「略対称」の範疇に入るのである。
【００２４】
なお、昇降収納装置用基台へのアームその他の部品の枢着は、該枢着点を中心にアームなどが所望の範囲で回動自在に移動するものであれば、特に限定されるものではなく、ボルトや軸或いはアームなどに設けた雄型（雌型）の接合部材を基台に設けた雌型（雄型）の接合部材に挿入することによって直接基台へアームなどを枢着しても良く、又、ギヤやベルト或いはチェーンなどを介して、間接的に基台とアームなどが枢着しても良いのである。
【００２５】
ところで、前述のように、本考案の昇降収納装置用基台の素材としては、加工が容易で、しかも安価に入手できるところから、合成樹脂製のものが好ましいのであるが、合成樹脂により該基台を成型した場合、必要な機械的強度が得られない場合がある。
【００２６】
この場合、本考案の昇降収納装置用基台においては、その外側側面或いは内側側面に補強板を取り付けることにより補強し、その強度を向上することが好ましく、該補強板としては、特に限定されるものではないが、コスト安を実現するために、昇降収納装置用基台側面のほぼ全面を覆い得る大きさ及び形状の略平坦の部材に対し、昇降収納装置用基台に設けた第一枢着部や両第二枢着部などが覆われないように当該位置に貫通孔を設けたものとすることが好ましい。
【００２７】
ここで、前記「略平坦」とは、必ずしも完全に平らな板材に限られないことを意味するのであり、即ち、本考案の昇降収納装置用基台の側面形状などに応じて多少の凹凸が設けられたり、強度を向上させるための凹凸が設けられたりしても、「略平坦」の範疇に入るのである。
【００２８】
なお、本考案の昇降収納装置用基台においては、回動機構の一部（ダンパやバネ機構など）を保護・隠蔽するために、該基台の開放部を別の蓋材で蓋をすることが好ましく、この蓋材としては、前記昇降収納装置用基台に備えられたダンパやバネ機構その他の部品を好適に覆い得るものであれば特に限定されるものではないが、本考案においては、特に、当該蓋材に対して、前記昇降収納装置用基台における第一枢着部や第二枢着部及び取付部などに対応した位置に枢着部を設けることが好ましく、このように構成することにより、アームやその他部品の枢着軸を、蓋材と前記昇降収納装置の二点で保持することができ、取り付け強度を向上することができるのである。
【考案の効果】
【００２９】
本考案は、前記構成を有し、金型や製造ラインなどを一本化することができ、大幅な製造コストのダウンを実現した新規な昇降収納装置用基台である。
【００３０】
即ち、本考案の昇降収納装置用基台においては、該基台における略中心線上にアームを枢着するための第一枢着部を設けると共に、前記中心線を挟む略対称の両位置に他のアームを枢着するための第二枢着部を設けているから、１種・１形状の基台で、昇降収納装置における左右いずれにも取り付けることができるのであり、これより、金型や製造ラインなどを一本化することができ、大幅な製造コストのダウンを実現することが可能になるのである。
【考案を実施するための最良の形態】
【００３１】
以下、本考案の実施例を説明するが、本考案はこの実施例に限定されるものではない。
【００３２】
＜昇降収納装置用基台＞
図２は、実施例に係る本考案の昇降収納装置用基台１を示す正面図であり、この昇降収納装置用基台１は、昇降収納装置においてアーム４（４ａ、４ｂ）を取り付けるための基台１であって、該基台１には、該基台１における中心線上に一のアーム４ａを枢着するための第一枢着部１１が設けられると共に、前記中心線を挟む対称の両位置に他のアーム４ｂを枢着するための第二枢着部１２（１２ａ、１２ｂ）が設けられており、後述するダンパ５やバネ機構７を内蔵すべく、ケース状に形成されたものである。
【００３３】
又、この昇降収納装置用基台１には、前記第二枢着部１２とは別に、前記中心線を挟む対称の両位置に、バネ機構を有効状態又は無効状態にするための切り替えレバー７２を取り付けるためのレバー取付部１３（１３ａ、１３ｂ）が設けられており、更に、レバー７２の先端を昇降収納装置用基台１から露出するための切り欠き部１４（１４ａ、１４ｂ）が昇降収納装置用基台１の両側面に設けられている。
【００３４】
＜蓋材＞
図３は、実施例に係る本考案の昇降収納装置用基台１に用いられる蓋材２を示す正面図であり、前記昇降収納装置用基台１の開放部を好適に覆い、回動機構の一部（ダンパ５やバネ機構７など）を保護・隠蔽するものである。
【００３５】
＜補強部材＞
更に、図４は、実施例に係る本考案の昇降収納装置用基台１に用いられる補強部材３を示す正面図であり、即ち、この補強部材３は、前記昇降収納装置用基台１の内部側面のほぼ全面を覆い得る大きさ及び形状の平坦の金属板に対し、昇降収納装置用基台１に設けた第一枢着部１１、第二枢着部１２及びレバー取付部１３などが覆われないように、当該位置に適宜貫通孔３１、３２（３２ａ、３２ｂ）、３３（３３ａ、３３ｂ）を設けたものであり、前記昇降収納装置用基台１を好適に補強するものである。
【実施例１】
【００３６】
図５は、前記昇降収納装置用基台１にアーム４（４ａ、４ｂ）を取り付ける状態を示す分解斜視図である。
【００３７】
図５（ａ）の分解斜視図に示すように、この昇降収納装置用基台１を昇降収納装置の右側に備え付ける場合にあっては、以下の（１）〜（３）の手順によりアームの取り付けが行われる。
【００３８】
（１）  昇降収納装置用基台１における第一枢着部１１及び図中左側の第二枢着部１２ａにポンチなどを用いて貫通孔を開ける。
（２）  第一枢着部１１に一のアーム４ａを回動可能に枢着すると共に図中左側の第二枢着部１２ａに他のアーム４ｂを回動可能に枢着する。
（３）  蓋材２により昇降収納装置用基台１の開放部を覆う。
【００３９】
一方、図５（ｂ）の分解斜視図に示すように、この昇降収納装置用基台１を昇降収納装置の左側に備え付ける場合にあっては、以下の（１´）〜（３´）の手順によりアームの取り付けが行われる。
【００４０】
（１´）  昇降収納装置用基台１における第一枢着部１１及び図中右側の第二枢着部１２ｂにポンチなどを用いて貫通孔を開ける。
（２´）  第一枢着部１１に一のアーム４ａを回動可能に枢着すると共に図中右側の第二枢着部１２ｂに他のアーム４ｂを回動可能に枢着する。
（３´）  蓋材２により昇降収納装置用基台１の開放部を覆う。
【００４１】
本実施例においては、このような手順により昇降収納装置用基台１にアーム４が取り付けられ、それぞれ図６（ａ）、図６（ｂ）の正面図に示すような状態となるのである。
【００４２】
即ち、本実施例に係る昇降収納装置用基台１は、該基台１における中心線上にアーム４ａを枢着するための第一枢着部１１を設けると共に、前記中心線を挟む対称の両位置に他のアーム４ｂを枢着するための第二枢着部１２（１２ａ、１２ｂ）を設けているから、１種・１形状の基台１で、昇降収納装置における左右いずれにも取り付けることができるのであり、これより、金型や製造ラインなどを一本化することができ、大幅な製造コストのダウンを実現することが可能になるのである。
【００４３】
なお、本実施例においては、昇降収納装置用基台１にアーム４（４ａ、４ｂ）を取り付けるに際し、第一枢着部１１及び第二枢着部１２（１２ａ、１２ｂ）にポンチなどを用いて貫通孔を開けているが、この貫通孔は、予め、昇降収納装置用基台１を成型するのと同時に設けておいても良い。
【実施例２】
【００４４】
図７は、前記実施例１の昇降収納装置用基台１に対し、更に補強部材３を取り付ける状態を示す分解斜視図である。
【００４５】
図７（ａ）の分解斜視図に示すように、昇降収納装置の右側に備え付けられる昇降収納装置用基台１に対し、更に補強部材３を取り付ける場合にあっては、以下の（１）〜（４）の手順により行われる。
【００４６】
（１）  昇降収納装置用基台１における第一枢着部１１及び図中左側の第二枢着部１２ａにポンチなどを用いて貫通孔を開ける。
（２）  昇降収納装置用基台１の内部側面に、接着やネジ固定などの接合手段を用いて補強部材３を取り付ける。
（３）  第一枢着部１１に一のアーム４ａを回動可能に枢着すると共に図中左側の第二枢着部１２ａに他のアーム４ｂを回動可能に枢着する。
（４）  蓋材２により昇降収納装置用基台１の開放部を覆う。
【００４７】
一方、図７（ｂ）の分解斜視図に示すように、昇降収納装置の左側に備え付けられる昇降収納装置用基台１に対し、更に補強部材３を取り付ける場合にあっては、以下の（１´）〜（４´）の手順により行われる。
【００４８】
（１´）  昇降収納装置用基台１における第一枢着部１１及び図中右側の第二枢着部１２ｂにポンチなどを用いて貫通孔を開ける。
（２´）  昇降収納装置用基台１の内部側面に、接着やネジ固定などの接合手段を用いて補強部材３を取り付ける。
（３´）  第一枢着部１１に一のアーム４ａを回動可能に枢着すると共に図中右側の第二枢着部１２ｂに他のアーム４ｂを回動可能に枢着する。
（４´）  蓋材２により昇降収納装置用基台１の開放部を覆う。
【００４９】
本実施例においては、このような手順により昇降収納装置用基台１にアーム４及び補強部材３が取り付けられ、それぞれ図８（ａ）、図８（ｂ）の正面図に示すような状態となるのである。
【００５０】
即ち、本実施例で用いられる補強部材３は、前記昇降収納装置用基台１の内部側面のほぼ全面を覆い得る大きさの平坦の金属板に対し、昇降収納装置用基台１に設けた第一枢着部１１及び両第二枢着部１２（１２ａ、１２ｂ）などが覆われないように当該位置に貫通孔を設けたものであることから、１種・１形状の補強部材３で、左右いずれの昇降収納装置用基台１にも取り付けることができるのであり、これより、金型や製造ラインなどを一本化することができ、大幅な製造コストのダウンを実現することが可能になるのである。
【００５１】
その余は、前記実施例１と同様であることから繰り返しを避けるためここでは説明を省略する。
【実施例３】
【００５２】
図９は、前記実施例２の昇降収納装置用基台１に対し、更にダンパ５を取り付ける状態を示す分解斜視図である。
【００５３】
図９（ａ）の分解斜視図に示すように、昇降収納装置の右側に備え付けられる昇降収納装置用基台１に対し、更にダンパ５を備え付ける場合には、以下の（１）〜（５）の手順により行われる。
【００５４】
（１）  昇降収納装置用基台１における第一枢着部１１及び両第二枢着部１２（１２ａ、１２ｂ）にポンチなどを用いて貫通孔を開ける。
（２）  昇降収納装置用基台１の内部側面に、接着やネジ固定などの接合手段を用いて補強部材３を取り付ける。
（３）  第一枢着部１１に一のアーム４ａを回動可能に枢着すると共に図中左側の第二枢着部１２ａに他のアーム４ｂを回動可能に枢着する。
（４）  アーム４（４ａ、４ｂ）が取り付けられていない残りの（図中右側の）第二枢着部１２ｂにダンパ５におけるシリンダの一端を枢着すると共に、アーム４ｂの回動に応じて回動するように取り付けられるクランク部材６にダンパ５におけるピストンロッドの端部を枢着する。
（５）  蓋材２により昇降収納装置用基台１の開放部を覆う。
【００５５】
一方、図９（ｂ）の分解斜視図に示すように、昇降収納装置の左側に備え付けられる昇降収納装置用基台１に対し、更にダンパ５を備え付ける場合には、以下の（１´）〜（５´）の手順により行われる。
【００５６】
（１´）  昇降収納装置用基台１における第一枢着部１１及び両第二枢着部１２（１２ａ、１２ｂ）にポンチなどを用いて貫通孔を開ける。
（２´）  昇降収納装置用基台１の内部側面に、接着やネジ固定などの接合手段を用いて補強部材３を取り付ける。
（３´）  第一枢着部１１に一のアーム４ａを回動可能に枢着すると共に図中右側の第二枢着部１２ｂに他のアーム４ｂを回動可能に枢着する。
（４´）  アーム４（４ａ、４ｂ）が取り付けられていない残りの（図中左側の）第二枢着部１２ａにダンパ５におけるシリンダの一端を枢着すると共に、アーム４ｂの回動に応じて回動するように取り付けられるクランク部材６にダンパ５におけるピストンロッドの端部を枢着する。
（５´）  蓋材２により昇降収納装置用基台１の開放部を覆う。
【００５７】
本実施例においては、このような手順により昇降収納装置用基台１にアーム４、補強部材３及びダンパ５が取り付けられ、それぞれ図１０（ａ）、図１０（ｂ）の正面図に示すような状態となるのである。
【００５８】
なお、ここで用いられるダンパ５は、アーム４の引き下ろし動作に対して制動力が生じるように、ピストンロッドが引かれた際にのみ制動力が生じるものを用いるのが好ましい。
【００５９】
その余は、前記実施例１及び２と同様であることから繰り返しを避けるためここでは説明を省略する。
【実施例４】
【００６０】
図１１は、前記実施例３の昇降収納装置用基台１に対し、更にバネ機構７を取り付ける状態を示す分解斜視図である。
【００６１】
図１１（ａ）の分解斜視図に示すように、昇降収納装置の右側に備え付けられる昇降収納装置用基台１に対し、更にバネ機構７を備え付ける場合には、以下の（１）〜（７）の手順により行われる。
【００６２】
（１）  昇降収納装置用基台１における第一枢着部１１及び両第二枢着部１２（１２ａ、１２ｂ）にポンチなどを用いて貫通孔を開ける。
（２）  昇降収納装置用基台１の内部側面に、接着やネジ固定などの接合手段を用いて補強部材３を取り付ける。
（３）  第一枢着部１１に一のアーム４ａを回動可能に枢着すると共に図中左側の第二枢着部１２ａに他のアーム４ｂを回動可能に枢着する。
（４）  第一枢着部１１に、アーム４ａの回動と共に回動するように渦巻き型バネ７１を取り付ける。
（５）  図中左側のレバー取付部１３ａにレバー７２を枢着し、レバー７２の先端を図中左側の切り欠き部１４ａから露出する。
（６）  アーム４（４ａ、４ｂ）が取り付けられていない残りの（図中右側の）第二枢着部１２ｂにダンパ５におけるシリンダの一端を枢着すると共に、アーム４ｂの回動に応じて回動するように取り付けられたクランク部材６にダンパ５におけるピストンロッドの端部を枢着する。
（７）  蓋材２により昇降収納装置用基台１の開放部を覆う。
【００６３】
一方、  図１１（ｂ）の分解斜視図に示すように、昇降収納装置の右側に備え付けられる昇降収納装置用基台１に対し、更にバネ機構７を備え付ける場合には、以下の（１´）〜（７´）の手順により行われる。
【００６４】
（１´）  昇降収納装置用基台１における第一枢着部１１及び両第二枢着部１２（１２ａ、１２ｂ）にポンチなどを用いて貫通孔を開ける。
（２´）  昇降収納装置用基台１の内部側面に、接着やネジ固定などの接合手段を用いて補強部材３を取り付ける。
（３´）  第一枢着部１１に一のアーム４ａを回動可能に枢着すると共に図中右側の第二枢着部１２ｂに他のアーム４ｂを回動可能に枢着する。
（４´）  第一枢着部１１に、アーム４ａの回動と共に回動するように渦巻き型バネ７１を取り付ける。
（５´）  図中右側のレバー取付部１３ｂにレバー７２を枢着し、レバー７２の先端を図中左側の切り欠き部１４ｂから露出する。
（６´）  アーム４（４ａ、４ｂ）が取り付けられていない残りの（図中左側の）第二枢着部１２ａにダンパ５におけるシリンダの一端を枢着すると共に、アーム４ｂの回動に応じて回動するように取り付けられたクランク部材６にダンパ５におけるピストンロッドの端部を枢着する。
（７´）  蓋材２により昇降収納装置用基台１の開放部を覆う。
【００６５】
本実施例においては、このような手順により昇降収納装置用基台１に蓋材２、補強板３、アーム４、ダンパ５及びバネ機構７が取り付けられ、図１２の正面図に示すような状態となるのである。
【００６６】
即ち、本実施例の昇降収納装置用基台１においては、レバー取付部１３（１３ａ、１３ｂ）等についても、昇降収納装置用基台１における中心線を挟む対称の両位置に２箇所設けているから、１種・１形状の基台１で、昇降収納装置における左右のいずれにも取り付けることができるのであり、これより、金型や製造ラインなどを一本化することができ、大幅な製造コストのダウンを実現することが可能になるのである。
【００６７】
その余は、前記実施例２〜３と同様であることから繰り返しを避けるためここでは説明を省略する。
【図面の簡単な説明】
【００６８】
【図１】図１は、従来公知の昇降収納装置を示す斜視図である。
【図２】図２は、実施例において用いられる昇降収納装置用基台を示す正面図である。
【図３】図３は、実施例において用いられる補強部材を示す正面図である
【図４】図４は、実施例において用いられる蓋材を示す正面図である。
【図５】図５は、昇降収納装置用基台にアームを取り付ける状態を示す分解斜視図である。
【図６】図６は、昇降収納装置用基台にアームを取り付けた状態を示す正面図である。
【図７】図７は、昇降収納装置用基台に対し、更に補強部材を取り付ける状態を示す分解斜視図である。
【図８】図８は、昇降収納装置用基台に対し、更に補強部材を取り付けた状態を示す正面図である。
【図９】図９は、昇降収納装置用基台に対し、更にダンパを取り付ける状態を示す分解斜視図である。
【図１０】図１０は、昇降収納装置用基台に対し、更にダンパを取り付けた状態を示す正面図である。
【図１１】図１１は、昇降収納装置用基台に対し、更にバネ機構を取り付ける状態を示す分解斜視図である。
【図１２】図１２は、昇降収納装置用基台に対し、更にバネ機構を取り付けた状態を示す正面図である。
【符号の説明】
【００６９】
１  昇降収納装置用基台
２  蓋材
３  補強板
４  アーム
５  ダンパ
６  クランク部材
７  バネ機構
８  昇降収納装置
【図１】
0003118027.tif 000003
【図２】
0003118027.tif 000004
【図３】
0003118027.tif 000005
【図４】
0003118027.tif 000006
【図５】
0003118027.tif 000007
【図６】
0003118027.tif 000008
【図７】
0003118027.tif 000009
【図８】
0003118027.tif 000010
【図９】
0003118027.tif 000011
【図１０】
0003118027.tif 000012
【図１１】
0003118027.tif 000013
【図１２】
0003118027.tif 000014